(57)【要約】【課題】複数色の顔料インクを用いて画像を記録するインクジェット記録装置において、極力平滑性を損なわず、光沢性に優れた画像を記録するための画像処理方法を提供する。【解決手段】個々の画素において、記録媒体に堆積する高さが相対的に高い顔料インクの記録・非記録に応じて、記録媒体に堆積する高さが相対的に低い顔料インクの記録・非記録を制御することにより、複数の顔料インクによって記録される画像の堆積高さをなるべく平滑にする。あるいは、類似する色度を有する複数の階調データの中から、光沢度のばらつきがなるべく抑えられるような階調データが選択され、個々の輝度に対し色分解処理時に参照するＬＵＴにこれが設定されている。以上のような画像処理を施すことにより、記録媒体における平滑性を一定の範囲に抑え、光沢むらのない画像を出力することが可能となる。【選択図】図２
2009012261.tif 000002
【特許請求の範囲】
【請求項１】
第１の顔料インクと該第１の顔料インクよりも記録媒体に堆積する高さが低い第２の顔料インクを少なくとも用いて、前記記録媒体に画像を記録するための画像処理方法であって、  
前記第１の顔料インクを記録する画素を、第１のディザマトリクスを用いて決定する第１の２値化工程と、
前記第１の顔料インクを記録する画素に対応する顔料高さ係数に第１の堆積係数を加算することによって新たな顔料高さ係数を算出する工程と、
前記新たな顔料高さ係数がより小さい画素に対し、より小さい閾値が対応するように第２のディザマトリクスの閾値を定める工程と、
前記第２の顔料インクを記録する画素を、前記第２のディザマトリクスを用いて決定する第２の２値化工程と
を有することを特徴とする画像処理方法。
【請求項２】
前記第１の顔料インクを記録する画素に対応する顔料高さ係数に前記第１の堆積係数を加算し、前記第２の顔料インクを記録する画素に対応する顔料高さ係数に第２の堆積係数を加算することによって新たな顔料高さ係数を算出する工程と、
前記新たな顔料高さ係数がより小さい画素に対し、より小さい閾値が対応するように第３のディザマトリクスの閾値を定める工程と、
前記第２の顔料インクよりも記録媒体に堆積する高さが更に低い第３の顔料インクを記録する画素を、前記第３のディザマトリクスを用いて決定する第３の２値化工程と
を更に有することを特徴とする請求項１に記載の画像処理方法。
【請求項３】
前記第１および第２の堆積係数は、前記第１の顔料インクが記録媒体に堆積する高さ、前記第２の顔料インクが記録媒体に堆積する高さ、および前記第３の顔料インクが記録媒体に堆積する高さに基づいて定められる値であることを特徴とする請求項２に記載の画像処理方法。
【請求項４】
第１の顔料インクと該第１の顔料インクよりも記録媒体に堆積する高さが低い第２の顔料インクを少なくとも用いて、前記記録媒体に画像を記録するための２値化処理を行う画像処理装置であって、  
前記第１の顔料インクを記録する画素を、第１のディザマトリクスを用いて決定する第１の２値化手段と、
前記第１の顔料インクを記録する画素に対応する顔料高さ係数に第１の堆積係数を加算することによって新たな顔料高さ係数を算出する手段と、
前記新たな顔料高さ係数がより小さい画素に対し、より小さい閾値が対応するように第２のディザマトリクスの閾値を定める手段と、
前記第２の顔料インクを記録する画素を、前記第２のディザマトリクスを用いて決定する第２の２値化手段と
を備えることを特徴とする画像処理装置。
【請求項５】
ＬＵＴを参照することによって、多値の輝度データを複数のインク色に対応した多値の階調データに変換する色分解処理工程を有する画像処理方法であって、
前記ＬＵＴでは、前記多値の輝度データの色度と記録媒体に記録した画像の色度との色差が所定の範囲に含まれるような複数の階調データのうち、記録媒体に記録した画像の光沢度が所定の値に最も近くなるような階調データが前記多値の輝度データに対応して設定されていることを特徴とする画像処理方法。
【請求項６】
前記所定の値とは、前記多値の輝度データに対応した前記階調データに従って記録媒体に記録した画像の光沢度の、前記多値の輝度データの全範囲における平均値であることを特徴とする請求項５に記載の画像処理方法。
【請求項７】
前記複数のインク色には、少なくともシアン、マゼンタおよびイエローが含まれていることを特徴とする請求項５または６に記載の画像処理方法。
【請求項８】
前記複数のインク色には、無彩色がさらに含まれていることを特徴とする請求項７に記載の画像処理方法。
【請求項９】
前記複数のインク色には、シアン、マゼンタおよびイエローとは異なる色相を有する有彩色がさらに含まれていることを特徴とする請求項７または８に記載の画像処理方法。
【請求項１０】
前記複数のインク色には、シアン、マゼンタあるいはイエローと等しい色相で且つ濃度が異なる有彩色がさらに含まれていることを特徴とする請求項７乃至９のいずれかに記載の画像処理方法。
【請求項１１】
多値の輝度データを複数のインク色に対応する多値の階調データに変換するために参照するＬＵＴの作成方法であって、
前記複数のインク色の階調データを段階的に異ならせた複数のパッチを記録媒体に記録する工程と、
前記複数のパッチの色度を測定する工程と、
前記複数のパッチの光沢度を測定する工程と、
前記複数のパッチにおける光沢度の平均値を算出する工程と、
前記輝度データに対する色差が所定の範囲に含まれるような複数のパッチを抽出する工程と、
抽出された前記複数のパッチのうち、前記測定工程において測定された光沢度が前記平均値に最も近いパッチを選択する工程と、
前記選択されたパッチに対応した階調データを前記輝度データに対応させて記憶する工程と
を有することを特徴とするＬＵＴの作成方法。
【請求項１２】
前記複数のインク色には、少なくともシアン、マゼンタおよびイエローが含まれていることを特徴とする請求項１１に記載のＬＵＴの作成方法。
【請求項１３】
前記複数のインク色には、無彩色がさらに含まれていることを特徴とする請求項１２に記載のＬＵＴの作成方法。
【請求項１４】
前記複数のインク色には、シアン、マゼンタおよびイエローとは異なる色相を有する有彩色がさらに含まれていることを特徴とする請求項１２または１３に記載のＬＵＴの作成方法。
【請求項１５】
前記複数のインク色には、シアン、マゼンタあるいはイエローと等しい色相で且つ濃度が異なる有彩色がさらに含まれていることを特徴とする請求項１２乃至１４のいずれかに記載のＬＵＴの作成方法。
【発明の詳細な説明】
【技術分野】
【０００１】
本発明は、複数色の顔料インクを用いたインクジェット記録装置の画像処理方法に関する。特に、記録媒体の光沢性を損なわないように工夫された２値化処理方法や色分解処理方法、さらにこのような色分解処理方法を実現するためのＬＵＴの作成方法に関する。
【背景技術】
【０００２】
近年、デジタル画像を手軽に且つ低価格に出力可能な記録装置として、複数色のインクを用いたカラーのインクジェット記録装置が急速に普及している。カラーインクジェット記録装置においては、画像の発色性やインクの取り扱い易さなどの点から、従来、染料を色材とした染料インクを用いるのが一般であった。しかしながら、染料インクで記録した画像には、従来の印刷に比べて耐候性（耐水性や耐光性など）に劣るという欠点があり、屋外に展示するポスターなどにこれを好適に用いることが出来なかった。
【０００３】
これに対し、特許文献１には、より耐候性に優れた顔料を色材とした顔料インクを用いるインクジェット記録装置が開示されている。特に、Ａ０サイズやＢ０サイズのような大判の記録媒体においては、ポスターとして屋外に展示するような用途も多く、このような記録媒体に複数色の顔料インクを用いて画像を記録するインクジェット記録装置が有用されている。
【０００４】
【特許文献１】特開平１−２０４９７９号公報
【発明の開示】
【発明が解決しようとする課題】
【０００５】
しかしながら、顔料インクを用いて出力した画像においては、その発色性や光沢性の点で、染料インクを用いた画像に劣る場合が多い。これは、染料が記録媒体に対し浸透して定着するのに対し、顔料はその表面に堆積した状態で定着する性質があることに起因する。以下、これら問題と一般的な対応策を、具体的に説明する。
【０００６】
通常、カラーのインクジェット記録装置には、シアン、マゼンタ、イエローおよびブラックの基本の４色を用い、これらの組み合わせによって全ての色域が表現される。例えばレッドはマゼンタとイエローの組み合わせ、グリーンはシアンとイエローの組み合わせ、またブルーはシアンとマゼンタの組み合わせによって、その色相が表現される。顔料インクにおいては、記録媒体の表面に顔料色材が堆積することによって、そのインク色の発色がなされるので、２色の重ねあわせによって表現される２次色は、１次色に比べてどうしても彩度が低下する傾向にある。すなわち、同じ２次色を表現するために、同じ組み合わせの色を用いても、２色の顔料インクを重ね合わせることによって表現される色は、２色の染料インクを重ね合わせて表現される色に比べて、彩度が低くなってしまう。
【０００７】
この問題に対応するため、近年では基本の４色に加えて、レッド、グリーンおよびブルーのような２次色を独立したインク色として予め用意する記録装置が提供されている。このような構成であれば、インクの重ね合わせ頻度を抑えることが出来るので、結果的に画像の彩度低下をある程度抑えることが可能となる。
【０００８】
一方、記録媒体の表面に堆積する性質を有する顔料インクでは、記録を行った面に多くの凹凸を形成する。この凹凸によって入射された光は乱反射を起こし、もともと高い光沢性（平滑性）を有する記録媒体であっても、顔料インクによって記録された画像の表面は光沢性が損なわれる結果となる。この問題に対応するため、近年ではなるべく画像の平滑性が保たれるような顔料インクも開発されて来ている。
【０００９】
しかしながら、複数色のインクを用いる場合には、記録媒体に形成される凹凸の程度もインクによって様々である。採用される顔料の種類や、インク中に含まれる顔料の含有濃度（以下、顔料濃度と言う）によって、どうしても記録媒体の表面に堆積する顔料の量、すなわち形成する凹凸の程度が影響を受けるからである。結果、単色で記録した場合であっても、顔料濃度の高いインクでは光沢性の低い画像が得られ、顔料濃度の低いインクでは光沢性の高い画像が得られるというように、インク色ごとに平滑度に差が現れる状態となる。
【００１０】
図１３（ａ）は、互いに顔料濃度の異なる複数インクを用いて記録を行った場合の、記録媒体表面における顔料の堆積状態および光の反射状態を説明するための図である。ここでは、比較的顔料濃度が低く記録媒体での堆積は薄く平滑度を保ちやすいインク１、比較的顔料濃度が高く記録媒体での堆積は厚く平滑度を保ち難いインク２、およびその中間のインク３を用いて記録を行った状態を示している。当該領域には、２種類のインクが重なって記録される部分、１種類のインクによって記録される部分、白紙の部分、などが混在し、凹凸の程度も様々である。その結果、記録媒体の面に対し一定の角度で入射する光も様々な方向に乱反射し、視覚的に高い光沢感は得られなくなる。また、このような状態で画像が記録された領域や平滑性の高い白紙の領域が１つの画像内に混在するような場合には、同じ画像内で均一な光沢感が得られず、光沢むらと呼ばれる弊害となって認識される。
【００１１】
本発明は上記問題点を解決するためになされたものである。よって、その目的とするところは、複数色の顔料インクを用いて画像を記録するインクジェット記録装置において、極力平滑性を損なわず、光沢むらの抑えられた画像を記録するための画像処理方法を提供することである。
【課題を解決するための手段】
【００１２】
そのために本発明においては、第１の顔料インクと該第１の顔料インクよりも記録媒体に堆積する高さが低い第２の顔料インクを少なくとも用いて、前記記録媒体に画像を記録するための画像処理方法であって、前記第１の顔料インクを記録する画素を、第１のディザマトリクスを用いて決定する第１の２値化工程と、前記第１の顔料インクを記録する画素に対応する顔料高さ係数に第１の堆積係数を加算することによって新たな顔料高さ係数を算出する工程と、前記新たな顔料高さ係数がより小さい画素に対し、より小さい閾値が対応するように第２のディザマトリクスの閾値を定める工程と、前記第２の顔料インクを記録する画素を、前記第２のディザマトリクスを用いて決定する第２の２値化工程とを有することを特徴とする。
【００１３】
また、第１の顔料インクと該第１の顔料インクよりも記録媒体に堆積する高さが低い第２の顔料インクを少なくとも用いて、前記記録媒体に画像を記録するための２値化処理を行う画像処理装置であって、前記第１の顔料インクを記録する画素を、第１のディザマトリクスを用いて決定する第１の２値化手段と、前記第１の顔料インクを記録する画素に対応する顔料高さ係数に第１の堆積係数を加算することによって新たな顔料高さ係数を算出する手段と、前記新たな顔料高さ係数がより小さい画素に対し、より小さい閾値が対応するように第２のディザマトリクスの閾値を定める手段と、前記第２の顔料インクを記録する画素を、前記第２のディザマトリクスを用いて決定する第２の２値化手段とを備えることを特徴とする。
【００１４】
さらに、ＬＵＴを参照することによって、多値の輝度データを複数のインク色に対応した多値の階調データに変換する色分解処理工程を有する画像処理方法であって、前記ＬＵＴでは、前記多値の輝度データの色度と記録媒体に記録した画像の色度との色差が所定の範囲に含まれるような複数の階調データのうち、記録媒体に記録した画像の光沢度が所定の値に最も近くなるような階調データが前記多値の輝度データに対応して設定されていることを特徴とする。
【００１５】
さらにまた、多値の輝度データを複数のインク色に対応する多値の階調データに変換するために参照するＬＵＴの作成方法であって、前記複数のインク色の階調データを段階的に異ならせた複数のパッチを記録媒体に記録する工程と、前記複数のパッチの色度を測定する工程と、前記複数のパッチの光沢度を測定する工程と、前記複数のパッチにおける光沢度の平均値を算出する工程と、前記輝度データに対する色差が所定の範囲に含まれるような複数のパッチを抽出する工程と、抽出された前記複数のパッチのうち、前記測定工程において測定された光沢度が前記平均値に最も近いパッチを選択する工程と、前記選択されたパッチに対応した階調データを前記輝度データに対応させて記憶する工程とを有することを特徴とする。
【発明の効果】
【００１６】
本発明によれば、記録媒体における平滑性を一定の範囲に抑え、光沢むらのない画像を出力することが可能となる。
【発明を実施するための最良の形態】
【００１７】
本発明者は、上述したような記録特性を踏まえ、顔料インクを用いて画像を記録する場合であっても、様々な顔料インクが記録媒体表面において、なるべく平滑性が保たれるように配置されれば、光沢性を損なわずに目的の発色を表現出来るという知見に到った。
【００１８】
図１３（ｂ）は、同図（ａ）と同じ種類のインクを同じ数だけ記録した場合に、より平滑性が保たれるように個々の顔料を配置した例を示している。同じ種類のインクを同じ数だけ記録しているので、当該領域においても同図（ａ）と略等しい発色を得ることが出来る。このように、記録領域の堆積高さがなるべく記録媒体面と平行になるように各インクの重ね合わせを変更することが出来れば、記録媒体に対し一定の角度で入射する光も略入射角と等しい反射角で反射し、高い光沢感が得られることが想定される。
【００１９】
このような各色のインクを記録する位置（記録画素／非記録画素の決定）やその数の決定は、一般に画像処理（主に色分解や２値化処理）によって行われている。しかしながら、このような記録画素／非記録画素の決定は各色で独立に定められていることが多く、互いの重ね合わせ状態や光沢性を考慮して行っているものではなかった。
【００２０】
以下、図面を参照して本発明の実施例について詳細な説明を行う。
【００２１】
図１は、本発明を適用するに好適なインクジェット記録装置の画像記録構成を説明するための模式図である。画像を記録するための記録ヘッド１０には、同じ種類のインクを吐出する複数のノズルからなるノズル列１１が、使用するインクの種類の数だけ主走査方向に並列されている。ここでは、シアン（Ｃ）、マゼンタ（Ｍ）、イエロー（Ｙ）およびブラック（Ｋ）の４色分のノズル列が用意されている。記録ヘッド１０は、記録データに従って個々のノズルからインクを吐出しながら主走査方向に一定の速度で記録走査し、これにより記録媒体１２に１バンド分の画像を記録する。１回分の記録走査が完了すると、記録媒体１２が１バンドの幅に応じた分だけ副走査方向に搬送される。以上のような記録走査と搬送動作とを交互に繰り返すことにより、記録媒体１２に段階的に画像が記録されていく。
【００２２】
図２は、本発明に適用可能なホスト装置２０１および記録装置２０２における画像処理の工程を説明するためのブロック図である。本実施例の記録装置２０２は、ホスト装置２０１より個々のノズルに対する記録／非記録が定められた２値データをインク色ごと（ノズル列ごと）に受信し、受け取った２値データに従って図１で説明した方法で記録媒体に画像を記録する。ホスト装置２０１は、Ｒ（レッド）、Ｇ（グリーン）、Ｂ（ブルー）からなる多値の輝度データに対し、図に示すような様々な画像処理を行うことによって、記録装置２０２が記録可能な２値データに、信号値変換を行う。以下に、それぞれの画像処理工程を説明する。
【００２３】
入力γ変換処理部１０１では、ユーザが指定する明るさ調整パラメータに従って、入力されたＲＧＢ信号に対するγ変換処理を行う。具体的には、入力した多値のＲＧＢ信号を、明るさ調整パラメータに応じて設定される１次元ＬＵＴを参照することによって、同じく多値のＲＧＢ信号に変換する。
【００２４】
続くカラーマッチング処理部１０２では、色域(Ｇａｍｕｔ)のマッピングを行う。そして、画像データＲ、Ｇ、Ｂによって再現される色域を、記録装置によって再現される色域内に写像するためのデータ変換を行う。具体的にはＲ、Ｇ、Ｂのそれぞれが多値で表現されたデータを３次元のＬＵＴを用いることにより、異なる内容のＲ、Ｇ、Ｂの多値のデータに変換する。
【００２５】
インク色分解処理部１０３では、上記色域のマッピングがなされたデータＲ、Ｇ、Ｂに基づき、記録装置に用意されたインクに対応した多値の色分解データ（Ｃ、Ｍ、Ｙ、Ｋ）を求める処理を行う。ここでもカラーマッチング処理と同様に、予め用意された３次元ＬＵＴを参照することによって信号値変換を行う。
【００２６】
出力γ変換処理部１０４では、インク色分解処理部１０３によって求められた色分解データの各色のデータごとにその階調値変換を行う。具体的には、記録装置の各色インクの階調特性に応じた１次元ＬＵＴを用いることにより、上記色分解データが記録装置の階調特性に線形的に対応づけられるような変換を行う。
【００２７】
ハーフトーン処理部１０５では、多値の色分解データＣ、Ｍ、Ｙ、Ｋそれぞれについて２値のデータに変換する２値化処理（量子化処理）を行う。本実施例では、所定のディザマトリクスを用いて、多階調の多値データを２階調の１ビットデータに変換する。
【００２８】
本発明においては、上述したインク色分解処理部１０３で参照する３次元ＬＵＴやハーフトーン処理部１０５で利用するディザマトリクスに工夫を加えることによって、記録装置がより平滑性に優れた画像を記録できるようにすることに特徴がある。以下、本発明を実現するための幾つかの実施例を具体的に説明する。
【実施例１】
【００２９】
図３は、一般的なディザ法による２値化処理方法を説明するための模式図である。ここでは、０〜１５で表される１６階調において、レベル８を有する階調データが領域３００に一様に入力されてきた場合を示している。ディザ法においては、個々の記録画素に対する閾値が定められたディザマトリクス３０１（ここでは４画素×４画素）が予め用意されており、個々の階調データを個々の閾値と比較する。そして、閾値よりも階調データが大きい場合には“１”（記録）を、閾値よりも階調データの方が小さい場合には“０”（非記録）を出力する。このような処理により、中間レベル８で表現される４画素×４画素の領域は、略半分の記録画素にドットが記録されることになり、結果的に当該領域の濃度は保存される。従来、このような処理は、第１のディザマトリクス、第２のディザマトリクス、第３のディザマトリクス・・・と言うようにインク色ごとに独立に実施されており、互いの処理はなんら関係を有することなく行われていた。
【００３０】
図４は、本実施例で採用するディザ法の詳細な工程を説明するためのブロック図である。また、図５は、上記工程で行われる各処理を具体的に説明するための模式図である。本実施例では、上述したようなディザ処理を記録媒体面に堆積する顔料の高さが高いインク色から順番に行い、その際に先行して行われたインク色の処理の結果を後続して行うインク色の処理に利用することを特徴とする。両図では、ある１色（例えば第１の顔料インク）についてのディザ処理の工程を示している。まず、ステップＳ０１では、入力されてきたデータに対し、予め用意されている第１のディザマトリクス５０１を用いて、図３で説明した方法と同様に第１の２値化処理を行う。ここでも、レベル８を有する階調データが領域５００に一様に入力されてきた場合に、４画素×４画素のディザマトリクス５０１を用いて２値化処理を行った結果の出力データ５０２を示している。
【００３１】
続くステップＳ０２では、これまでのインク色における２値化の結果に基づいて、顔料高さ係数の加算マトリクス５０５を算出する。具体的には、まずステップＳ０１で得られた２値化の出力データと堆積係数（第１の堆積係数は０．７）との積を画素ごとに求め、これを個々の画素の顔料高さ係数とし、顔料高さ係数マトリクス５０３を作成する。堆積係数とは、インク色ごとに定められる０〜１の係数であり、堆積する高さが高いほど大きな値となっている。すなわち、第１の堆積係数が０．７である場合、２番目に２値化処理を行う第２の堆積係数はそれよりも小さく、続く第３の堆積係数は更に小さな値に設定されている。そして、ここで得られた顔料高さ係数マトリクス５０３を、既に先行して処理がなされたインク色の顔料高さ係数の和である顔料高さ係数加算マトリクス５０４に加算する。これにより、新たな顔料高さ係数を有する複数の画素から構成される顔料高さ係数加算マトリクス５０５が得られる。図５では、第１の顔料インクに対する２値化処理を示しているので、これまでの顔料高さ係数加算マトリクス５０４の顔料高さ係数は全ての画素で０になっている。
【００３２】
再度図４を参照するに、ステップＳ０３では次に処理する第２の顔料インク色用に予め用意されている第２のディザマトリクス５０６の個々の画素の閾値を、ステップＳ０３で得られた顔料高さ係数加算マトリクス５０５に基づいて入れ替える。具体的には、顔料高さ係数加算マトリクス５０５の顔料高さ係数の値がより小さい画素に対し、より小さい閾値が対応するように第２のディザマトリクスの閾値を配列する。第２の顔料インクについては、このようにして得られた新たなディザマトリクス５０１を用いた、第２の２値化処理が行われる。以上説明したようなステップＳ０１〜Ｓ０３で示した工程を、全てのインク色について、顔料の高さが高い順番に行う。すなわち、第２の２値化処理で得られた結果は、第２の堆積係数が乗算された後、顔料高さ係数加算マトリクス５０４に新たに加算され、第３のディザマトリクスを補正する。そして、補正後の第３のディザマトリクスは第３の顔料インクに対する第３の２値化処理に利用される。注目する４画素×４画素の領域の２値化処理が全てのインク色について終了すると、隣接する次の領域に注目領域を移し、上記と同じ処理を繰り返していく。
【００３３】
以上説明した処理であれば、顔料が高く堆積する画素には次の顔料が上積みされ難く、顔料が堆積していない画素は次の顔料が堆積し易くなる。結果、全ての画素において、堆積高さを一定の範囲に揃えることができる。すなわち、従来のように各色の２値化処理を独立に行っていた場合には図１３（ａ）のような記録状態であったものを、本実施例の処理を行えば同図（ｂ）のような記録状態にすることが出来、乱反射を抑え光沢性に優れた画像を出力することが可能となる。
【実施例２】
【００３４】
本実施例では、図２で説明したインク色分解処理を利用して、記録媒体面に堆積する顔料の高さを一定の範囲に揃えるようにする。
【００３５】
図６は、一般的なインク色分解処理を説明するためのイメージ図である。インク色分解処理では、例えば８ｂｉｔ２５６階調からなる輝度データ（Ｒ、Ｇ、Ｂ）に基づき、記録装置に用意されたインクに対応した多値の色分解データ（例えば、Ｃ、Ｍ、Ｙ、Ｋ）を一義的に定める。１０６は、輝度データ（Ｒ、Ｇ、Ｂ）を軸とした３次元ＬＵＴのイメージ図である。個々の軸は０〜２５５で表されるＲＧＢそれぞれの入力データに対応しており、どのような輝度データ（Ｒ、Ｇ、Ｂ）も、細分化された立方体のいずれかに含まれる。全ての輝度データに対し、インクに対応した多値の色分解データ（Ｃ、Ｍ、Ｙ、Ｋ）を定めることも出来るが、通常はその輝度データが含まれる立方体が有する複数の格子点データから、補間処理を行うことによって色分解データ（Ｃ、Ｍ、Ｙ、Ｋ）を算出する。
【００３６】
一般に、ＬＵＴは、記録媒体の種類などに応じて予め複数作成され、ホスト装置のメモリに格納されている。そして、このようなＬＵＴを作成する場合には、任意の入力データ（Ｒ，Ｇ，Ｂ）に対し、なるべくオリジナルとの間で色差が少なくなるような出力データ（Ｃ，Ｍ，Ｙ，Ｋ，Ｒ）が設定されている。但し、実際には、同じ入力データ（Ｒ，Ｇ，Ｂ）に対して、色差が少ない出力データの候補はいくつか存在し、これらの間では視覚的に殆ど差が認識されない場合が多い。よって、本実施例ではこのことを利用し、色差が少ない出力データの幾つかの候補の中から、記録媒体に実際に記録を行った場合に光沢度がなるべく一定範囲に含まれるような出力データ（Ｃ，Ｍ，Ｙ，Ｋ，Ｒ）を選択し、これをＬＵＴに記憶する。
【００３７】
上述したようなＬＵＴは、記録媒体の種類に応じてホスト装置のメモリに予め格納されていてもよいが、必要に応じて算出するようなシステムを用意することも出来る。
【００３８】
図８は、本実施例のＬＵＴの各パラメータを算出するためのシステムを説明するためのブロック図である。本システムにおいて、ホスト装置２０１は記録装置２０２のほかに、分光測色計２０３および光沢度計２０４と接続している。
【００３９】
図９は、ＬＵＴの各パラメータを設定する際に、ホスト装置２０１が実行する工程を説明するためのフローチャートである。本処理が開始されると、まずステップＳ４０１において、ホスト装置２０１は記録装置２０２に所定のテストパッチを記録させる。
【００４０】
図７は、ステップＳ４０１において記録される複数のテストパッチの記録データを示した図である。ここでは記録装置が、シアン、マゼンタ、イエロー、ブラックおよび有彩色であるレッド（Ｒ）のインクを用意している場合を示している。左列のＮｏ．は、テストパッチのシリアル番号を示しており、右側の各インク色に対応する列は、個々のインク色の階調値を示している。図からも判るように、ここで記録する複数のパッチは、記録装置が用いる各インクの２５６階調データを所定カウントでスライスし、インク色間の全ての階調の組み合わせに対応させたものである。
【００４１】
図１０は、実際に記録媒体に記録されるテストパッチの配置例を示した図である。
【００４２】
続くステップＳ４０２において、ホスト装置２０１は、分光測色計２０３を動作させて個々のパッチの測色を行う。そして、得られた色度データ（Ｌ*ａ*ｂ*）をホスト装置２０１内のメモリに格納する。
【００４３】
更に、ステップＳ４０３において、光沢度計２０４を動作させて個々のパッチの光沢度Ｇiを測定する。このときの測定角度は、記録媒体の光沢度の大きさに適応した角度であれば、２０°、４５°あるいは６０°などいずれの値であってもよい。得られた結果は、ホスト装置２０１内のメモリに格納する。
【００４４】
その後、ステップＳ４０４において、得られた全て（Ｎ個）の光沢度データＧiの平均値Ｇaveを以下の式によって算出する。
【００４５】
【数１】
2009012261.tif 000003
【００４６】
更に、ステップＳ４０５において、個々の格子点に対し、オリジナルの輝度データ（Ｒ，Ｇ，Ｂ）に対する色度データ（Ｌ*ａ*ｂ*）の色差ΔＥが１より小さいパッチを抽出する。そして、これらパッチの中から光沢度Ｇiが全範囲における光沢度の平均値Ｇaveに最も近いものを選択する。さらに、このパッチを記録する際の階調データ（Ｃ，Ｍ，Ｙ，Ｋ，Ｒ）を、当該輝度データ（Ｒ，Ｇ，Ｂ）に対するパラメータとしてＬＵＴに記憶する。
【００４７】
具体的に説明すると、例えば、１つの格子点として（Ｌ*ａ*ｂ*）＝（６３．３８，４９．４６，２７．０８）に対応するパラメータを設定する場合を考える。このとき、ステップＳ４０２で記憶された色度情報のうち、上記色度との色差ΔＥが１未満となるものが、以下の３通りであったとする。
（１）  （Ｃ，Ｍ，Ｙ，Ｋ，Ｒ）＝（０，１２７，１２０，０，０）
（２）  （Ｃ，Ｍ，Ｙ，Ｋ，Ｒ）＝（０，０，０，０，１２８）
（３）  （Ｃ，Ｍ，Ｙ，Ｋ，Ｒ）＝（０，５０，５５，０，６４）
また、これら（１）〜（５）に対応するステップＳ４０３で測定された光沢度がそれぞれ、
（１）  ４４．８
（２）  ５３．３
（３）  ４１．８
であったとする。一方、ステップＳ４０４における光沢度平均値がＧave＝４５．２であったとすると、これに最も近い値の光沢度を有するのは上記３つのうち（１）のパッチとなる。よって、本例では、ＬＵＴの１つの格子点（Ｌ*ａ*ｂ*）＝（６３．３８，４９．４６，２７．０８）に対するパラメータとして（Ｃ，Ｍ，Ｙ，Ｋ，Ｒ）＝（０，１２７，１２０，０，０）を記憶する。以上のような工程を、全ての格子点に対して実行する。
【００４８】
別例として、例えばシアン、マゼンタ、イエロー、ブラックおよび無彩色であるグレイ（Ｇｒ）を用意した記録装置に対し、１つのグレイ格子点（Ｌ*ａ*ｂ*）＝（５０，０，０）に対応するパラメータを設定する場合を考える。図１１は、このような場合に記録される複数のテストパッチの記録データを示した図である。このとき、ステップＳ４０２で記憶された色度情報のうち、上記色度との色差ΔＥが１未満となるものが、以下の６通りであったとする。
（１）  （Ｃ，Ｍ，Ｙ，Ｋ，Ｇｒ）＝（１０７，１２３，８２，０，０）
（２）  （Ｃ，Ｍ，Ｙ，Ｋ，Ｇｒ）＝（１０，１４，０，０，２００）
（３）  （Ｃ，Ｍ，Ｙ，Ｋ，Ｇｒ）＝（５１，６４，３４，０，１２８）
（４）  （Ｃ，Ｍ，Ｙ，Ｋ，Ｇｒ）＝（５７，７３，３２，５０，０）
（５）  （Ｃ，Ｍ，Ｙ，Ｋ，Ｇｒ）＝（１０，１４，０，５０，１００）
（６）  （Ｃ，Ｍ，Ｙ，Ｋ，Ｇｒ）＝（５１，６４，３４，５０，２８）
そして、これらに対応するステップＳ４０３で測定された光沢度がそれぞれ、
（１）  ４１．１
（２）  ７０．４
（３）  ４６．９
（４）  ３６．０
（５）  ４４．７
（６）  ３８．５
であったとする。一方、ステップＳ４０４における光沢度平均値がＧave＝４７．６であったとすると、これに最も近い値の光沢度を有するのは上記３つのうち（３）のパターンとなる。よって、本例では、ＬＵＴの１つの格子点（Ｌ*ａ*ｂ*）＝（５０，０，０）に対するパラメータとして（Ｃ，Ｍ，Ｙ，Ｋ，Ｇｒ）＝（５１，６４，３４，０，１２８）を記憶する。以上のような工程を、全ての格子点に対して実行する。
【００４９】
さらに別例として、例えばシアン、マゼンタ、イエロー、ブラック、ライトシアン（Ｌｃ）およびライトマゼンタ（Ｌｍ）を用意した記録装置に対し、１つのグレイ格子点（Ｌ*ａ*ｂ*）＝（５０，０，０）に対応するパラメータを設定する場合を説明する。ライトシアン（Ｌｃ）およびライトマゼンタ（Ｌｍ）とは、有彩色であるシアンおよびマゼンタインクと同じ色相でありながら、含有する顔料濃度がこれらよりも低く抑えられたインクである。
【００５０】
図１２は、このような場合に記録される複数のテストパッチの記録データを示した図である。このとき、ステップＳ４０２で記憶された色度情報のうち、上記色度との色差ΔＥが１未満となるものが、以下の６通り存在する場合を考える。
（１）  （Ｃ，Ｍ，Ｙ，Ｋ，Ｌｃ，Ｌｍ）＝（１０７，１２３，８２，０，０）
（２）  （Ｃ，Ｍ，Ｙ，Ｋ，Ｌｃ，Ｌｍ）＝（０，０，８２，０，２０８，２３５）
（３）  （Ｃ，Ｍ，Ｙ，Ｋ，Ｌｃ，Ｌｍ）＝（４２，６３，８２，０，１２１，１３９）
（４）  （Ｃ，Ｍ，Ｙ，Ｋ，Ｌｃ，Ｌｍ）＝（５７，７３，３２，５０，０，０）
（５）  （Ｃ，Ｍ，Ｙ，Ｋ，Ｌｃ，Ｌｍ）＝（０，０，３２，５０，９６，１１５）
（６）  （Ｃ，Ｍ，Ｙ，Ｋ，Ｌｃ，Ｌｍ）＝（１２，１７，２８，５０，９０，１０４）
そして、これらに対応するステップＳ４０３で測定された光沢度がそれぞれ、
（１）  ４１．１
（２）  ６５．３
（３）  ４９．８
（４）  ３６．０
（５）  ５３．４
（６）  ４４．９
であったとする。一方、ステップＳ４０４における光沢度平均値がＧave＝５０．４であったとすると、これに最も近い値の光沢度を有するのは上記３つのうち（３）のパターンとなる。よって、本例では、ＬＵＴの１つの格子点（Ｌ*ａ*ｂ*）＝（５０，０，０）に対するパラメータとして（Ｃ，Ｍ，Ｙ，Ｋ，Ｌｃ，Ｌｍ）＝（４２，６３，８２，０，１２１，１３９）を記憶する。以上のような工程を、全ての格子点に対して実行する。
【００５１】
上述した例の様に、使用するインク色の種類が基本の４色より多いほど、１つの色を表現する組み合わせの幅も広がり、記録面における平滑度を所定範囲内、すなわちＧave近傍に収め易くなる。よって、本実施例のようなインク色分解処理を用いれば、結果的に、図１３（ｂ）のような記録状態を実現することが出来、乱反射を抑え、光沢感にむらのない一様な画像を出力することが可能となる。
【００５２】
なお、上記では、視覚的に色味の差がほとんど確認されない条件として、色差ΔＥが１より小さいパッチを抽出したが、本実施例はこれに限るものではない。光沢差の認識性と色差の認識性とのバランスから、より緩やかな条件に設定しても、より厳しい条件に設定しても構わない。また、これらの条件は色相によって異ならせても良い。例えば、人間の視覚特性上、色相の差が感知されやすいグレイ周辺の色や肌色近辺においては条件を厳しく設定し、色相の差が感知され難い領域においては緩く設定してもよい。
【図面の簡単な説明】
【００５３】
【図１】本発明を適用するに好適なインクジェット記録装置の画像記録構成を説明するための模式図である。
【図２】本発明に適用可能なホスト装置および記録装置における画像処理の工程を説明するためのブロック図である。
【図３】一般的なディザ法による２値化処理方法を説明するための模式図である。
【図４】実施例１で採用するディザ法の詳細な工程を説明するためのブロック図である。
【図５】実施例１のディザ処理工程で行われる各処理を具体的に説明するための模式図である。
【図６】一般的なインク色分解処理を説明するためのイメージ図である。
【図７】複数のテストパッチの記録データの一例を示した図である。
【図８】実施例２のＬＵＴの各パラメータを算出するためのシステムを説明するためのブロック図である。
【図９】ＬＵＴの各パラメータを算出する際に、ホスト装置が実行する工程を説明するためのフローチャートである。
【図１０】テストパッチの例を示した図である。
【図１１】複数のテストパッチの記録データの一例を示した図である。
【図１２】複数のテストパッチの記録データの一例を示した図である。
【図１３】互いに顔料濃度の異なる複数インクを用いて記録を行った場合の、記録媒体表面における顔料の堆積状態および光の反射状態を説明するための図である。
【符号の説明】
【００５４】
１    堆積の薄いインク
２    堆積の厚いインク
３    中間のインク
１０    キャリッジ
１１    ノズル列
１２    記録媒体
１０１    入力γ変換処理部
１０２    カラーマッチング処理部
１０３    インク色分解処理部
１０４    出力γ変換処理部
１０５    ハーフトーン処理部
１０６    ３次元ＬＵＴ
２０１    ホスト装置
２０２    記録装置
２０３    分光測色計
２０４    光沢度計    
３００    入力データ
３０１    ディザマトリクス
５００    入力データ
５０１    ディザマトリクス
５０２    出力データ  
５０３    顔料高さ係数マトリクス
５０４    顔料高さ係数加算マトリクス
５０５    顔料高さ係数加算マトリクス
５０６    ディザマトリクス  
【図１】
2009012261.tif 000004
【図２】
2009012261.tif 000005
【図３】
2009012261.tif 000006
【図４】
2009012261.tif 000007
【図５】
2009012261.tif 000008
【図６】
2009012261.tif 000009
【図７】
2009012261.tif 000010
【図８】
2009012261.tif 000011
【図９】
2009012261.tif 000012
【図１０】
2009012261.tif 000013
【図１１】
2009012261.tif 000014
【図１２】
2009012261.tif 000015
【図１３】
2009012261.tif 000016